(57)【要約】【課題】  大型無機質板を躯体に固定し、その脱落を防止できるその固定方法の提供。【解決手段】  織布が大型無機質板の少なくともその一部から延在した延在部を有するように固定された大型無機質板を接着剤で躯体に固定し、加えて延在部分を躯体への固定に利用する。このように固定された大型無機質板は、複数の固定手段で躯体に固定されるため、脱落や、脱落に伴う被害を有効に防ぐことができる。【選択図】  図１
2017089336.tif 000002
【特許請求の範囲】
【請求項１】
化粧面と施工面とを有する大型無機質板を躯体に固定する方法であって、
（ａ）  前記施工面に織布が固定され、かつ前記織布が前記大型無機質板の少なくともその一部から延在した延在部を有する大型無機質板を用意する工程と、
（ｂ）  前記無機質板または前記躯体に接着剤を塗布し、当該大型無機質板を躯体に貼着して固定する工程と、
（ｃ）  前記織布の延在部を躯体に固定する工程と
を含んでなる、方法。
【請求項２】
前記織布が、前記施工面の９０％以上の面積を覆う大きさである、請求項１に記載の方法。
【請求項３】
前記織布が、前記施工面よりも大きな面積を有するものである、請求項１に記載の方法。
【請求項４】
前記織布が、前記施工面にその一部において固定されているものである、請求項１に記載の方法。
【請求項５】
前記織布の前記施工面への固定が、金具による固定および／または接着剤による固定である、請求項４に記載の方法。
【請求項６】
前記織布が、ガラス繊維、合成繊維、金属線、またはカーボン繊維から織られたものである、請求項１〜５のいずれか一項に記載の方法。
【請求項７】
前記織布が、メッシュシートまたはネットの形態である、請求項１〜６のいずれか一項に記載の方法。
【請求項８】
前記織布の全面積に対する開口面積が２％〜９０％である、請求項１〜７のいずれか一項に記載の方法。
【請求項９】
前記無機質板が一辺９００ｍｍ以上、厚さ１０ｍｍまでのものである、請求項１〜８のいずれか一項に記載の方法。
【請求項１０】
前記工程（ｃ）において躯体に固定された大型無機質板の上端に、縁材または水切りを張り付ける工程をさらに含んでなる、請求項１〜９のいずれか一項に記載の方法。
【請求項１１】
前記工程（ｃ）において躯体に固定された大型無機質板の上端に、前記大型無機質板と同じ材質の帯材を張り付ける工程をさらに含んでなる、請求項１〜９のいずれか一項に記載の方法。
【発明の詳細な説明】
【技術分野】
【０００１】
本発明は、大型の無機質板を壁などの躯体に固定する施工方法に関し、さらに詳しくは大型無機質板を接着剤などで貼着する固定手段に加えて実施され、その脱落などを防止できる施工方法に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型無機質板、さらに薄型の大型陶磁器板が実用化され広く利用されてきており、このような大型無機質板についてもその施工は接着剤などによる張付けが一般的である。
【０００３】
このような大型無機質板を壁面などに施工する場合、経年により剥離や割れが発生しても、脱落並びに脱落に伴う被害を抑止することが必要になる。特に大型無機質板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。また、大型無機質板の場合、専用フレームを用意し、これに嵌め込み大型無機質板を固定する方法も行われているが、フレームが露出することにより意匠を損なう恐れがある。
【０００５】
化粧面の意匠性を損ねない施工方法として、無機質板の片面に非貫通孔を設け、この孔を利用して固定する方法が提案されている（例えば、特開平８−６８１８３号公報（特許文献１）、特開平１１−１５９１０２号公報（特許文献２）、特開２０１５−１０３８０号公報（特許文献３））。しかしながら、これらの方法は大型の無機質板の固定方法としてはその係止力には限度があると考えられる。
【０００６】
また、複数のタイルをその裏面において連結部材で固定してユニット化したり、タイルの裏面に脱落防止の線材を固着し、この線材を壁などの躯体に固定することで脱落等を防ぐ提案もされている（特開平６−１０１３２１号公報（特許文献４）、特開２０１３−３２６６７号公報（特許文献５）。しかし、これら提案はもっぱら小型のタイルに向けられたものであり、大型の無機質板の固定を前提としたものではない。
【０００７】
従って、大型の無機質板の化粧面の意匠性を損ねず、脱落並びに脱落に伴う被害を抑止可能な施工方法が依然として求められていると言える。
【先行技術文献】
【特許文献】
【０００８】
【特許文献１】特開平８−６８１８３号公報
【特許文献２】特開平１１−１５９１０２号公報
【特許文献３】特開２０１５−１０３８０号公報
【特許文献４】特開平６−１０１３２１号公報
【特許文献５】特開２０１３−３２６６７号公報
【発明の概要】
【発明が解決しようとする課題】
【０００９】
本発明は、大型無機質板を躯体に固定し、その脱落を防止できるその固定方法の提供を目的とする。
【課題を解決するための手段】
【００１０】
そして、本発明による無機質板を躯体に固定する方法は、化粧面と施工面とを有する大型無機質板を躯体に固定する方法であって、
（ａ）  前記施工面に織布が固定され、かつ前記織布が前記大型無機質板の少なくともその一部から延在した延在部を有する大型無機質板を用意する工程と、
（ｂ）  前記無機質板または前記躯体に接着剤を塗布し、当該大型無機質板を躯体に貼着して固定する工程と、
（ｃ）  前記織布の延在部を躯体に固定する工程と
を含んでなるものである。
【図面の簡単な説明】
【００１１】
【図１】本発明において固定される大型無機質板を表す図であり、織布は接着剤により施工面の略全面に固定され、さらに織布は大型無機質板の上端から延在している延在部を有する。（ａ）は施工面から見た斜視図、（ｂ）は施工面の正面図であり、（ｃ）は側面図である。
【図２】織布が、大型無機質板の上端から延在している大型無機質板の図であり、織布は固定点５により点付けされている。（ａ）は施工面から見た斜視図、（ｂ）は施工面の正面図である。
【図３】織布が、大型無機質板の施工面よりも大きな面積を有するものとされた態様の図であり、織布は、上端、下端、および側端から延在している。
【図４】図１に示される態様の大型無機質板を躯体に固定し、加えて延在部を躯体に固定した態様を示す図である。
【図５】躯体２０の表面２１に、複数の大型無機質板１を張り付けた状態の説明図である。
【発明を実施するための形態】
【００１２】
本発明による方法は、上記の工程（ａ）、（ｂ）および（ｃ）の三つの工程を基本とする。以下工程ごとに説明する。
【００１３】
工程（ａ）
本発明による方法によって固定される大型無機質板を用意する工程である。本発明において、無機質板は、例えば陶磁器、石、またはガラスからなるものである。本発明において無機質板は、平板として、外装または内装の壁、床、天井の仕上げ材や、キャビネット面材やカウンターの仕上げ材に好ましく用いられる。その大きさは、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。また、本発明の一つの態様によれば、本発明による方法は、例えば厚さは３ｍｍ以上８ｍｍ程度まで、望ましくは１０ｍｍ程度までの大型無機質板に好ましく適用できる。
【００１４】
本発明において大型無機質板は、その面を外に向けて施工固定される化粧面と、その面を躯体に向けて貼着し、固定される施工面を有する。図１は、本発明において固定される大型無機質板を表す図であり、図１（ａ）は施工面から見た斜視図、（ｂ）は施工面の正面図であり、（ｃ）は側面図である。図において、大型無機質板１は、化粧面２と、施工面３とを有し、施工面３には織布４が接着剤により固定される。接着剤は織布４の略全面に塗布されてよく、図１に示す態様にあっては、図中の５の位置まで織布４の大部分の面積が接着剤により施工面３に固着されている。さらに、本発明にあっては、織布が、大型無機質板の少なくともその一部から延在している。図１の示されるように、織布４が大型無機質板１の施工面３の上端より伸びて存在している。このはみ出した部分を延在部７と呼ぶ。本発明にあっては、後記するように、この延在部を大型無機質板の躯体への固定に利用する。
【００１５】
本発明において織布は、大型無機質板の裏打材としての機能を果たすものであり、すなわち、大型無機質板が何らかの外力で割れてしまったような場合にも、破片の飛散、剥離、または落下を防止するためのものである。従って、本発明の好ましい態様によれば、大型無機質板の施工面ほぼ全面を覆う（例えば施工面の９０％以上の面積を覆う）大きさとされる。
【００１６】
織布の固定に用いられる接着剤としては、固定の強度を確保できる限り限定されないが、合成高分子系の接着剤が好ましい。合成高分子系の接着剤としては、エポキシ系、シリコーン系、ウレタン系、アクリル系などが好適に用いられる。これらの接着剤は、常温で液状の接着剤、ホットメルト接着剤、テープ状に成形されたもののいずれも好適に使用可能である。
【００１７】
本発明の別の態様によれば、大型無機質板は、施工面３に織布４が、複数の固定点５により全面で固定されていない、いわゆる点付けされて固定されている。固定点５による固定の結果、織布４と施工面３との間には実質的な隙間が存在しており、この隙間には工程（ｂ）において接着剤が入り込む。この態様にあっても、織布４が大型無機質板１の施工面３の上端より伸びて存在している。このはみ出した部分を延在部７と呼ぶ。本発明にあっては、後記するように、この延在部を大型無機質板の躯体への固定に利用する。
【００１８】
施工面への織布の固定点５における固定方法は、工程（ｃ）について説明する固定強度を発揮できる態様であれば限定されず、接着剤による固定、金具による固定等により行われてもよい。後述する二重の固定手段を得る観点からは、金具による固定により行なわれることが好ましく、より好ましくは金具による固定と接着剤による固定を併用する。金具は複数個を用いて織布から大型無機質板が剥落しない程度の強度で織布を固定する。ここで用いられる金具としては、ステープル、ブラインドリベット、プッシュリベットクリップ、アンカーなどが好適に用いられる。また、ここで用いられる接着剤としては、固定の強度を確保できる限り限定されないが、合成高分子系の接着剤が好ましい。合成高分子系の接着剤としては、エポキシ系、シリコーン系、ウレタン系、アクリル系などが好適に用いられる。これらの接着剤は、常温で液状の接着剤、ホットメルト接着剤、テープ状に成形されたもののいずれも好適に使用可能である。
【００１９】
本発明の別の態様によれば、織布として大型無機質板の施工面よりも大きい面積の織布を用いる。図３はこの態様を示す図であり、織布４は大型無機質板１の上端、下端、および側端からそれぞれ伸びて存在し、延在部７を有している。図示した態様では、大型無機質板１の全周に延在部７が存在するが、本発明にあっては、上端および片側の側端の２端からそれぞれ伸びて存在する２つの延在部を有する態様であっても良い。本発明にあっては、後記するように、この延在部を大型無機質板の躯体への固定に利用する。また、この態様は、施工面よりも大きい面積の織布を用いることになるため、織布の裏打材としての機能からも好ましいものとなる。
【００２０】
工程（ｂ）
本発明による方法にあっては次に、工程（ｂ）として、上記工程（ａ）で用意した大型無機質板の織布に接着剤を塗布するか、または大型無機質板を固定しようとする躯体の表面に接着剤を塗布する。前者の場合で、かつ織布が固定点で点付けされている態様においては、接着剤が、織布を通過し、大型無機質板の施工面に至るよう塗布する。上記の通り、織布は糸同士の間隔が作る開口を有し、さらに、本発明の好ましい態様によれば、織布は施工面から浮いて隙間を有する。接着剤は、織布の開口を通り、施工面に至るよう塗布される。また、後者の場合、すなわち躯体の表面に接着剤を塗布する場合も、工程（ｃ）において接着剤が大型無機質板の織布を通過し、大型無機質板の施工面に至るのに十分な量の接着剤が躯体の表面に塗布される。
【００２１】
次に、接着剤が塗布された大型無機質板を躯体に貼着し、または接着剤が塗布された躯体に大型無機質板を固定する。上記の通り、本発明の好ましい態様にあっては、織布と施工面との間に隙間を有する結果、織布は塗布された接着剤の層に入り込むことになる。織布は上記したように、まず、裏打材として機能するものであり、接着剤の層に入り込んだ織布は、大型無機質板が何らかの外力により（例えば、何かが衝突して）割れてしまった場合にも、破片の飛散、剥離、または落下を有効に防止する。特に、経年による大型無機質板と躯体との接着力が弱くなったときにあっても、破片の飛散、剥離、または落下を有効に防止することとができるとの利点が得られる。さらに、織布が接着層にあって躯体と無機質板との間に介在することで、例えば、躯体および大型無機質板の施工面のいずれかあるいは双方の表面が平滑でない、すなわち場所によって両者の間に僅かな隙間が生じてしまうような場合であっても、両者の接触が織布を通じて確保され、固定力が発揮されるとの利点が得られる。さらに、このようにして固定された大型無機質板と躯体との間には、（１）躯体−織布−固定点５−大型無機質板という固定力と、（２）織布の開口を介しての接着剤による躯体と大型無機質板との直接の固定力という、複数の固定力が存在することになる。従って、ある箇所において、固定力が弱くなり、あるいは失われる事態となっても、二重化された固定手段が存在するため、脱落や、脱落に伴う被害を防ぐことができるとの利点が得られる。特に本発明にあっては、工程（ｂ）で用いる接着剤とは異なる接着剤によって工程（ａ）において織布を固定することで、固定力の劣化の程度または環境から受ける影響の度合いを接着剤により異なるものとすることができ、二重化された固定手段としてより望ましいものとなる。さらに、工程（ｂ）で用いる接着剤は、固定点５を取り囲むように塗布されることが好ましい。このようにすることで、大型無機質板が固定された後での固定点５の露出が少なくなり、固定点５の経時劣化を防止することが可能となる。
【００２２】
工程（ｃ）
本発明にあっては、上記大型無機質板の接着剤による躯体への直接の固定に加えて、大型無機質板の少なくともその一部から延在している織布の延在部を躯体に固定する。延在部の躯体への固定は、物理的な固定が可能な固定手段を用いることが好ましい。図３は、図１に示される態様の大型無機質板、すなわちその上端から伸びた織布の延在部７を有する大型無機質板を、工程（ｂ）により躯体に固定した状態を、その化粧面２から見た正面図である。この図にあっては、織布４の延在部７の上に固定金具１１を置き、この固定金具１１を、ビス、タッピングビス、アンカーボルトなどの固定手段１２により、延在部７を躯体と固定金具１１との間に挟持し、大型無機質板１を躯体に固定する。
【００２３】
織布の延在部を躯体に固定することにより、大型無機質板は、施工面の接着剤による固定と、延在部を利用した固定の二つの手段により固定される。本発明によれば、従って、経時的な劣化などで接着剤などによる固定が十分でなくなった場合でも、延在部を固定したもう一つの固定手段が存在するため、脱落や、脱落に伴う被害を防ぐことができるとの利点が得られる。この効果は織布と大型無機質板とを金具により固定される態様において顕著となる。
【００２４】
さらに本発明の好ましい態様によれば、図４に示さるように、ビス、タッピングビス、アンカーボルトなどの固定手段１３を大型無機質板１の下部に設けて落下を防止する。
【００２５】
さらに本発明の別の態様において、延在部７の大きさに対応した、織布が存在しない領域を大型無機質板の施工面に設ける。図１および２に示される大型無機質板の領域８である。具体的には、延在部と対称となる大型無機質板の箇所において、少なくとも延在した織布の面積に相当する面積の部分に織布を存在させない大型無機質板とする。そして、複数の大型無機質板を躯体に固定する際に、隣り合う大型無機質板同士において、織布の延在部７と、前記織布が存在しない部分８とを重ね合わせて固定する。その態様を図５に示す。この図は、躯体２０の表面２１に、複数の大型無機質板１を張り付けた状態の説明図である。大型無機質板１は、図１に示される図１に示される態様の大型無機質板、すなわちその上端から伸びた織布の延在部７を有する大型無機質板である。この態様にあって、まず、図の下の段の大型無機質板が、工程（ｂ）および（ｃ）により躯体２０に張り付けられるとともに、延在部７が固定金具１１および固定手段１２により固定される。次に、その上の段として、同様の大型無機質板が固定される。このとき、下の段の大型無機質板の延在部７の部分には、織布が存在しない部分８が重ねて置かれて固定される。
【００２６】
さらに図４の態様にあって、上の段の大型無機質板の延在部７並びに固定金具１１および固定手段１２が隠れるよう、その上に、部材３１が、帯材、縁材または水切りとして張り付けられてなる。この部材３１は意匠上、大型無機質板と同じ材質のものであることが好ましい。
【００２７】
なお、本発明において、大型無機質板の施工面と躯体との接着剤による張り付けは、大型無機質板と躯体表面との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて大型無機質板を張り付けても良い。いずれの場合も、ビスやアンカーボルトなどの固定手段は躯体に固定されていることが好ましい。
【符号の説明】
【００２８】
１・・大型無機質板、２・・化粧面、３・・施工面、４・・織布、５・・接着剤、６・・織布縁部、７・・延在部、８・・織布が存在しない部分、１１・・固定金具、１２・・固定手段、２０・・躯体、２１・・躯体表面
【図１】
2017089336.tif 000003
【図２】
2017089336.tif 000004
【図３】
2017089336.tif 000005
【図４】
2017089336.tif 000006
【図５】
2017089336.tif 000007